(57)【要約】【課題】チャイルドプルーフ機能を有しつつ、部材を破断させなくても蓋体の開放操作が可能なキャップ付き容器を提案する。【解決手段】本発明のキャップ付き容器１００は、口部１２に雄ねじ部１４を有し、内容物を収容する容器本体１０と、周壁２３の内周面に雌ねじ部２３ａを有し、口部１２にねじ係合により装着される内キャップ２０と、内キャップ２０を外側から覆う外キャップ３０とを備え、外キャップ３０及び口部１２は、相互にアンダーカット係合可能な一対の係合部１６，３５を有し、外キャップ３０及び内キャップ２０は、外キャップ３０が口部１２にアンダーカット係合していないときのみ、外キャップ３０の回転を内キャップ２０に伝達する一対の回転力伝達部２３ｂ、３４ｂを有することを特徴とする。【選択図】図１
2019011115.tif 000002
【特許請求の範囲】
【請求項１】
口部に雄ねじ部を有し、内容物を収容する容器本体と、
周壁の内周面に雌ねじ部を有し、前記口部にねじ係合により装着される内キャップと、
該内キャップを外側から覆う外キャップと
を備えるキャップ付き容器であって、
前記外キャップ及び前記口部は、相互にアンダーカット係合可能な一対の係合部を有し、
前記外キャップ及び前記内キャップは、前記外キャップが前記口部にアンダーカット係合していないときのみ、前記外キャップの回転を前記内キャップに伝達する一対の回転力伝達部を有することを特徴とするキャップ付き容器。
【請求項２】
前記口部が有する前記係合部はネックリングである、請求項１に記載のキャップ付き容器。
【請求項３】
前記一対の回転力伝達部は、前記外キャップ及び前記内キャップにそれぞれ形成された一対の縦リブである、請求項１又は２に記載のキャップ付き容器。
【請求項４】
前記外キャップ及び前記内キャップは、相対回転することで相互に間欠的に接触する音発生部を有する、請求項１乃至３のいずれか一項に記載のキャップ付き容器。
【請求項５】
前記外キャップの下端部には、該外キャップを上方に押圧するための押圧部が形成されている、請求項１乃至４のいずれか一項に記載のキャップ付き容器。
【発明の詳細な説明】
【技術分野】
【０００１】
本発明は、キャップ付き容器に関し、特に、チャイルドプルーフ機能を付加した容器に関する。
【背景技術】
【０００２】
近年のキャップ付き容器としては、いわゆるチャイルドプルーフ（レジスタンス）と呼ばれる機能を付加したものがある。出願人は既に、容器の口部に装着した注出栓外筒壁に対して蓋体をねじ係合させると共に、蓋体の外周面を覆うスライダを注出栓外筒壁にロックさせ、ストッパをスライダから破断させてスライダを上方にスライドさせることでロックを解除して蓋体をスライダと共に回転させて開放可能とした蓋体付き注出容器を提案済みである（特許文献１参照）。
【先行技術文献】
【特許文献】
【０００３】
【特許文献１】特開２０１２−２２４３６５号公報
【発明の概要】
【発明が解決しようとする課題】
【０００４】
しかしながら、特許文献１に記載の容器では、蓋体を開放する前にストッパを破断させてスライダから離脱させる必要があり、蓋体の開放操作が煩雑であった。
【０００５】
本発明は、このような問題点を解決することを課題とするものであり、その目的は、チャイルドプルーフ機能を有しつつ、部材を破断させなくても蓋体の開放操作が可能なキャップ付き容器を提案するところにある。
【課題を解決するための手段】
【０００６】
本発明のキャップ付き容器は、
口部に雄ねじ部を有し、内容物を収容する容器本体と、
周壁の内周面に雌ねじ部を有し、前記口部にねじ係合により装着される内キャップと、
該内キャップを外側から覆う外キャップと
を備えるキャップ付き容器であって、
前記外キャップ及び前記口部は、相互にアンダーカット係合可能な一対の係合部を有し、
前記外キャップ及び前記内キャップは、前記外キャップが前記口部にアンダーカット係合していないときのみ、前記外キャップの回転を前記内キャップに伝達する一対の回転力伝達部を有することを特徴とする。
【０００７】
本発明のキャップ付き容器は、上記構成において、前記口部が有する前記係合部はネックリングであることが好ましい。
【０００８】
本発明のキャップ付き容器は、上記構成において、前記一対の回転力伝達部は、前記外キャップ及び前記内キャップにそれぞれ形成された一対の縦リブであることが好ましい。
【０００９】
本発明のキャップ付き容器は、上記構成において、前記外キャップ及び前記内キャップは、相対回転することで相互に間欠的に接触する音発生部を有することが好ましい。
【００１０】
本発明のキャップ付き容器は、上記構成において、前記外キャップの下端部には、該外キャップを上方に押圧するための押圧部が形成されていることが好ましい。
【発明の効果】
【００１１】
本発明によれば、チャイルドプルーフ機能を有しつつ、部材を破断させなくても蓋体の開放操作が可能なキャップ付き容器を提案することができる。
【図面の簡単な説明】
【００１２】
【図１】本発明の一実施形態に係る未開封状態のキャップ付き容器の正面半断面図である。
【図２】図１におけるＡ−Ａ断面による断面図である。
【図３】本発明の一実施形態に係るキャップ付き容器において、キャップの開放操作時の状態を示す正面半断面図である。
【発明を実施するための形態】
【００１３】
以下、図面を参照して、本発明をより具体的に説明する。
【００１４】
図１は、本発明の一実施形態である未開封状態のキャップ付き容器１００を示しており、内キャップ２０、及び外キャップ３０が、これに適合する容器本体１０に装着された状態を示す。なお、本明細書において上下方向とは、キャップ付き容器１００の正立状態を基準とし、容器の中心軸線Ｏに沿って内キャップ２０及び外キャップ３０が配置される側（すなわち、図１における上側）を上方、図示しない底部が配置される側（すなわち、図１における下側）を下方とする。また、径方向外側とは、図１におけるキャップ付き容器１００の中心軸線Ｏを通り中心軸線Ｏに垂直な直線に沿って外側に向かう方向であり、径方向内側とは、当該直線に沿って中心軸線Ｏに向かう方向を指すものとする。
【００１５】
まず、容器本体１０について説明する。容器本体１０は、円筒形状を有する口部１２と、該口部１２の下端に連なり該口部１２よりも拡径された胴部１８と、胴部１８の下部を閉塞する底部（図示省略）とからなるボトル状をなしている。口部１２には、後述する内キャップ２０をねじ係合により装着するための雄ねじ部１４と、雄ねじ部１４の下方において口部１２から径方向外側に突出するネックリング１６とが形成されている。本実施形態において、ネックリング１６の外径は、雄ねじ部１４の外径よりも大きく形成されている。
【００１６】
内キャップ２０は、容器本体１０の口部１２を上方及び径方向外側から覆い閉塞する部材である。内キャップ２０は、図１に示すように、内キャップ本体２２と、該内キャップ本体２２と口部１２上端との間で挟持され、口部１２を液密にシールするシール板２６とを備えている。
【００１７】
内キャップ本体２２は、口部１２を径方向外側から取り囲む周壁２３と、該周壁２３の上端に連なり口部１２を上方から閉塞する天壁２４とを有する。周壁２３の内周面には、シール板２６がアンダーカット係合により装着されている。シール板２６は、天壁２４と口部１２との間で挟持されており、口部１２上端に当接することで口部１２を液密にシールしている。周壁２３の内周面には、内キャップ２０を容器本体１０の口部１２にねじ係合するための雌ねじ部２３ａが設けられている。また、周壁２３の外周面には、後述する外キャップ本体３２の内周面に形成されたリブ３４ｂの間に入り込んで一対の回転力伝達部を形成するリブ２３ｂが形成されている。図２は、図１のＡ−Ａ断面による断面図である。周方向におけるリブ３４ｂ同士の間にリブ２３ｂが２つずつ配置されている。内キャップ本体２２の外周面には突壁２３ｃが形成されており、図１に示すアンダーカット係合位置において、突壁２３ｃは、後述する外キャップ本体３２の内周面に形成された２つの係合突起３４ｃの間の嵌合領域３４ｄに嵌合している。
【００１８】
外キャップ３０は、内キャップ２０を更に上方及び径方向外側から覆う部材である。外キャップ３０は、図１に示すように、周壁２３を径方向外側から取り囲む外キャップ本体３２と、外キャップ本体３２の上端部にアンダーカット係合により固定された頂壁３７とを備えている。
【００１９】
外キャップ本体３２は、略円筒形状を有しており、その下端部内周面には、外キャップ３０をネックリング１６にアンダーカット係合させるための環状突部３５が形成されている。すなわち、容器本体１０のネックリング１６と、外キャップ本体３２の環状突部３５とは、一対の係合部を形成している。図１は、外キャップ３０を容器本体１０に対して下方に押圧することでネックリング１６と環状突部３５とをアンダーカット係合させた状態を示している。
【００２０】
外キャップ本体３２の内周面には、上述のリブ２３ｂとの間で一対の回転力伝達部を形成するリブ３４ｂが設けられている。図１に示すような外キャップ本体３２が容器本体１０にアンダーカット係合している状態では、リブ２３ｂとリブ３４ｂとは上下方向に離間し接触しておらず、何ら伝達力を伝達しない。しかし、図３に示すように、外キャップ本体３２が容器本体１０にアンダーカット係合していない状態では、リブ２３ｂがリブ３４ｂと高さ方向に重なる。このとき、図２に示すように、リブ２３ｂがリブ３４ｂ同士の間に入り込む。この状態で外キャップ３０を周方向に回転させると、リブ３４ｂがリブ２３ｂと周方向で当接し、外キャップ３０に加えられた回転力が内キャップ２０に伝達される。
【００２１】
外キャップ本体３２の内周面には、図１に示すアンダーカット係合位置において内キャップ本体２２の突壁２３ｃを上下から挟む係合突起３４ｃが形成されている。
【００２２】
外キャップ本体３２の上端部には、頂壁３７がアンダーカット係合により固定されている。より具体的には、外キャップ本体３２の上端部の段部３６に形成された突出部３６ａに、頂壁３７の外周端に形成された係合突起３８ｂが係合している。頂壁３７の外周端下面には、下方に突出する環状押圧部３８ａが形成されている。環状押圧部３８ａは、図１に示すような外キャップ３０が容器本体１０にアンダーカット係合した状態において、内キャップ２０の天壁２４に当接し、外キャップ３０の下方への変位を規制する。
【００２３】
すなわち、図１に示すアンダーカット係合位置において、突壁２３ｃが係合突起３４ｃの間の嵌合領域３４ｄに嵌合すると共に環状押圧部３８ａが天壁２４に当接することで、外キャップ３０が内キャップ２０に対して精度良く位置決めされている。
【００２４】
次に、図１に示す未開封状態のキャップ付き容器１００から内容物を吐出する手順について説明する。
【００２５】
未開封状態のキャップ付き容器１００では、図１に示すように内キャップ２０側のリブ２３ｂと外キャップ３０側のリブ３４ｂとが上下方向に離間している。従って、利用者が外キャップ３０を周方向に回転させても、リブ２３ｂ、３４ｂ同士が噛み合わず空回りし、内キャップ２０が回転しないため、内キャップ２０を開放することができない。未開封状態のキャップ付き容器１００から内容物を吐出するにあたっては、まず、図１に矢印で示すように、外キャップ３０を上方にスライドさせる必要がある。利用者は、例えば片手で容器本体１０を把持しつつ、もう一方の手で外キャップ３０の外周面を把持して上方に引き上げてアンダーカット係合を解除することができる。また、両手を使う代わりに、片手の手のひらで容器本体１０の胴部１８を把持しつつ親指で外キャップ３０の下端部に形成された押圧部３９を上方に押圧してアンダーカット係合を解除してもよい。
【００２６】
なお、ここでいう押圧部３９とは、利用者が指を掛けて外キャップ３０を上方に押圧し易く形成された部位を指す。したがって、押圧部３９は、例えば、外キャップ本体３２の下端部が容器本体１０から径方向外側方向に離間することで押圧し易く構成されていてもよいし、外キャップ本体３２の下端部が径方向外側にフランジ状に突出した構成であってもよい。
【００２７】
外キャップ３０と容器本体１０とのアンダーカット係合を解除する際に、内キャップ２０側のリブ２３ｂと、外キャップ３０側のリブ３４ｂが同じ周方向位置に存在すると、リブ２３ｂ、３４ｂ同士が接触し、外キャップ３０を図３に示すアンダーカット係合が解除された状態までスライドさせることができない。従って利用者は、図２に示すように外キャップ３０側のリブ３４ｂ同士の間に内キャップ２０側のリブ２３ｂが入り込むように外キャップ３０を僅かに周方向に回転させつつ上方にスライドさせるとよい。
【００２８】
外キャップ３０を、図３に示すように容器本体１０とのアンダーカット係合が解除された状態までスライドさせると、内キャップ２０側のリブ２３ｂと外キャップ３０側のリブ３４ｂとが高さ方向に重なり、図２に示すように外キャップ３０側のリブ３４ｂ同士の間に内キャップ２０側のリブ２３ｂが入り込んだ状態となる。このとき、図３に示すように内キャップ２０側の突壁２３ｃが外キャップ本体３２側の係合突起３４ｃの一つを乗り越えた位置で係止される。これによって、リブ２３ｂ、３４ｂが再度容易に離間してしまうことがない。この状態で利用者が外キャップ本体３２を把持して図３に矢印で示すように平面視で反時計回りに回転させると、リブ２３ｂ、３４ｂ同士が周方向に当接し、外キャップ３０に加えた回転力が内キャップ２０にも伝達される。すなわち、リブ２３ｂ、３４ｂは、回転力伝達部として機能する。
【００２９】
外キャップ３０の回転によって内キャップ２０が周方向に回転すると、内キャップ２０側の雄ねじ部１４と外キャップ３０側の雌ねじ部２３ａとのねじ係合が解除される。ねじ係合が完全に解除されると、利用者は、外キャップ３０を上方に持ち上げる。このとき、内キャップ２０の下端部は外キャップ３０の環状突部３５に当接し、外キャップ３０と共に上方に持ち上げられる。これによって、外キャップ３０及び内キャップ２０とを開放して容器本体１０の収容空間Ｓ内の内容物を吐出し使用することができる。
【００３０】
利用者は、内容物の吐出を終了すると、再び内キャップ２０を口部１２にねじ係合により装着し、更に外キャップ３０を下方に押圧して環状突部３５をネックリング１６にアンダーカット係合させて図１の状態へと戻す。これにより、再びキャップ付き容器１００は、外キャップ３０を回転させても内キャップ２０が回転しない、保管に適した状態となる。保護者がこの状態でキャップ付き容器１００を保管しておけば、小児が外キャップ３０を開けようとして周方向に回転させても、空回りして内キャップ２０が開放されない。従って、小児が内容物である薬物等を誤って摂取するリスクを低減することができる。なお、内容物の吐出を終了した後、利用者は、外キャップ３０を容器本体１０にアンダーカット係合させることなく、通常のスクリューキャップとして使用してもよい。
【００３１】
本実施形態では、内キャップ２０が内キャップ本体２２及びこれに係合するシール板２６を有するように構成した。シール板２６としては、例えばゴム等の軟質材料で形成されたいわゆるパッキンを用いることができる。また、内キャップ２０の構成はこの態様に限定されず、シール機能を有する一部材で構成してもよい。また、内キャップ本体２２にシール板２６をインサート成形することにより構成してもよい。
【００３２】
また、本実施形態では、外キャップ３０を容器本体１０のネックリング１６にアンダーカット係合させるように構成したが、この態様には限定されない。外キャップ３０は、容器本体１０側に形成された他の任意の係合部に対して係合させることができる。なお、容器本体１０に対して外キャップ３０を上方にスライドさせるときのスライド力、及び外キャップ３０を再度容器本体１０にアンダーカット係合させるときの押圧力は、この一対の係合部１６，３５の掛かり代を調整することで任意の力に設定することができる。なお、上記のスライド力は、小児にはスライドさせることができず、大人のみがスライドさせることができるような値に設定することが好ましい。
【００３３】
また、本実施形態では、外キャップ３０が外キャップ本体３２及びこれに係合する頂壁３７を有するように構成したが、この態様には限定されない。外キャップ３０は、一部材で構成してもよいし、複数部材のインサート成形等により形成するようにしてもよい。
【００３４】
また、本実施形態では、突壁２３ｃを凹凸の無い円筒形状に構成したが、この態様には限定されない。突壁２３ｃ及びこれに対向する２つの係合突起３４ｃに挟まれた嵌合領域３４ｄに、周方向に間欠的に凸部を形成するようにしてもよい。これによって、未使用状態又は保管状態において、外キャップ３０を周方向に回転させると、当該凸部が相互に間欠的に接触して音を発生させるため、外キャップ３０が内キャップ２０に対して空回りし内キャップ２０を開放できない状態であることを利用者に認識させることができる。
【００３５】
以上述べたように、本実施形態では、口部１２に雄ねじ部１４を有する容器本体１０と、周壁２３に雌ねじ部２３ａを有し口部１２にねじ係合により装着される内キャップ２０と、内キャップ２０を外側から覆う外キャップ３０とを備え、外キャップ３０及び口部１２は、相互にアンダーカット係合可能な一対の係合部（ネックリング１６，及び環状突部３５）を有し、外キャップ３０及び内キャップ２０は、外キャップ３０が口部１２にアンダーカット係合していないときのみ、外キャップ３０の回転を内キャップ２０に伝達する一対の回転力伝達部（リブ２３ｂ，３４ｂ）を有するように構成した。これによって、外キャップ３０が容器本体１０にアンダーカット係合している未使用状態及び保管状態において、利用者が外キャップ３０を開けようとして周方向に回転させても、空回りして内キャップ２０が開放されない。従って、小児が内容物である薬物等を誤って摂取するリスクを低減することができる。
【００３６】
また、本実施形態では、外キャップ３０を上下にスライドさせることにより、これまでの容器とは異なる使用感のチャイルドプルーフ機能付き容器とすることができる。
【００３７】
また、本実施形態では、口部１２が有するネックリング１６を、外キャップ３０とアンダーカット係合可能な係合部として用いるように構成した。これによって、容器本体１０の基本形状を極力生かして、チャイルドプルーフ機能を実現することができる。
【００３８】
また、本実施形態では、外キャップ３０及び内キャップ２０にそれぞれ設けたリブ２３ｂ，３４ｂ（上下方向に延びる縦リブ）を、外キャップ３０の回転を内キャップ２０へと伝達する回転力伝達部として構成した。これによって、歯車等の精度の高い部材を使用することなく、キャップ開放時に外キャップ３０の回転を内キャップ２０へと伝達することができる。
【００３９】
また、外キャップ３０及び内キャップ２０は、相対回転することで相互に間欠的に接触する音発生部を有していてもよい。これによって、未使用状態又は保管状態において、外キャップ３０が内キャップ２０に対して空回りし内キャップ２０を開放できない状態であることを利用者に認識させることができる。
【００４０】
また、本実施形態では、外キャップ３０の下端部に、外キャップ３０を上方に押圧するための押圧部３９が形成されるように構成した。これによって、利用者が片手で容器本体１０の胴部１８を把持しつつ、同じ手の親指等を用いて外キャップ３０を上方に押圧してリブ２３ｂ，３４ｂが噛み合う状態へとスライドさせることができる。
【００４１】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部に含まれる機能などは論理的に矛盾しないように再配置可能であり、複数の構成部を１つに組み合わせたり、或いは分割したりすることが可能である。本発明の範囲にはこれらも包含されるものと理解されたい。
【符号の説明】
【００４２】
１０      容器本体
１２      口部
１４      雄ねじ部
１６      ネックリング（係合部）
１８      胴部
２０      内キャップ
２２      内キャップ本体
２３      周壁
２３ａ    雌ねじ部
２３ｂ    リブ（回転力伝達部）
２３ｃ    突壁
２４      天壁
２６      シール板
３０      外キャップ
３２      外キャップ本体
３４ｂ    リブ（回転力伝達部）
３４ｃ    係合突起
３４ｄ    嵌合領域
３５      環状突部（係合部）
３６      段部
３６ａ    突出部
３７      頂壁
３８ａ    環状押圧部
３８ｂ    係合突起
３９      押圧部
１００    キャップ付き容器
Ｏ        中心軸線
Ｓ        収容空間
【図１】
2019011115.tif 000003
【図２】
2019011115.tif 000004
【図３】
2019011115.tif 000005